(57)【要約】      （修正有）【課題】裁縫針を出し入れする際の利便性を向上させる。【解決手段】収容位置（位置Ｐ１）と最大回動位置（Ｐ４）との間で回動自在に装着される針収納部の姿勢を、収容位置と最大回動位置との間で保持するように構成する。すなわち、針収納部を、収容位置から回動させた際、途中で手を離しても自重によって収容位置に戻らないように姿勢を保持するように構成する。【選択図】図５
0003117524.tif 000002
【実用新案登録請求の範囲】
【請求項１】
底板の周縁に立設された側壁によって開口部を形成した箱体と、当該開口部を開閉する蓋体と、裁縫針を収納する針収納部とを備え、前記針収納部を当該針収納部に形成された回動部と前記箱体または前記蓋体のいずれか一方に形成された支持部との軸支によって回動自在に設けた裁縫箱において、
前記針収納部は、当該針収納部が収容される収容位置と、当該収容位置からの回動量が最大となる最大回動位置との間で回動自在とされ、
前記針収納部の姿勢を前記収容位置と前記最大回動位置との間の任意の位置で保持する保持手段を設けたことを特徴とする裁縫箱。
【請求項２】
底板の周縁に立設された本体側側壁によって開口部を形成した箱体と、天板の周縁に立設された蓋側側壁によって開口部を形成し、前記箱体に回動自在に設けられた蓋体と、裁縫針を収納する針収納部とを備え、前記針収納部を当該針収納部に形成された回動部と前記箱体または前記蓋体のいずれか一方に形成された支持部との軸支によって回動自在に設けた裁縫箱において、
前記針収納部は、当該針収納部が収容される収容位置と当該収容位置からの回動量が最大となる最大回動位置との間で回動自在とされ、
前記針収納部の姿勢を前記収容位置と前記最大回動位置との間であって、かつ前記蓋側側壁で囲まれる空間内から脱した位置で保持する保持手段を設けたことを特徴とする裁縫箱。
【請求項３】
前記針収納部が保持される位置は、前記針収納部が前傾姿勢または後傾姿勢で保持される位置であることを特徴とする請求項１又は２に記載の裁縫箱。
【請求項４】
前記保持手段は、前記回動部および前記支持部のうちいずれか一方に設けられた凸部と他方に設けられた凹部とからなり、前記凸部と前記凹部との係合によって前記針収納部の姿勢を保持することを特徴とする請求項１〜３のいずれか１項に記載の裁縫箱。
【請求項５】
前記蓋体は前記箱体に回動可能に設けられており、
前記針収納部は、前記蓋体に収容されるとともに、前記蓋体に形成された係止手段に係止されることによって前記収容位置に収容され、
前記針収納部は、前記収容位置に収容された状態において前記蓋体と連動して回動し、
前記保持手段は、前記針収納部が前記収容位置に収容された状態において前記針収納部とともに前記蓋体を前記任意の位置で保持する手段を兼用することを特徴とする請求項１〜４のいずれか１項に記載の裁縫箱。
【請求項６】
前記針収納部は、複数の針収納部材からなり、
前記複数の針収納部材は、各々が独立して回動可能に設けられていることを特徴とする請求項１〜５のいずれか１項に記載の裁縫箱。
【請求項７】
前記複数の針収納部材は、ぬい針用の収納部が形成されたぬい針収納部材とまち針用の収納部が形成されたまち針収納部材とに分別されていることを特徴とする請求項６に記載の裁縫箱。
【請求項８】
前記針収納部には、前記裁縫針を収納する収納溝が形成されており、
前記箱体または前記蓋体には、前記収納溝に前記裁縫針を収納するための収納口と対向する位置に前記収納溝からの前記裁縫針の脱落を規制する規制壁が立設されていることを特徴とする請求項１〜７のいずれか１項に記載の裁縫箱。
【考案の詳細な説明】
【技術分野】
【０００１】
本考案は、針、針山、鋏、物差等の各種の裁縫道具を収納する裁縫箱に関する。
【背景技術】
【０００２】
従来、裁縫道具が収納される箱本体と、当該箱本体に回動自在に装着され、前記箱本体の開口部（裁縫道具を出し入れする口）を開閉する蓋とを備え、その全体を箱型に形成した裁縫箱が広く知られている。そして、従来の裁縫箱の中には、ぬい針やまち針等の裁縫針を収納するための収納部を別途設けたものがある。このような裁縫箱において裁縫針の収納部は、蓋の裏面側を収容位置として装着され、かつ箱本体又は蓋に対して回動自在に装着されている。そして、収納部への裁縫針の出し入れ（取り出しと収納）は、使用者が収納部を回動させて起立させることで行うようになっていた。
【考案の開示】
【考案が解決しようとする課題】
【０００３】
ところが、従来の収納部の構成では、当該収納部を回動させた際、その収納部の姿勢を維持するために使用者自らが支えておく必要があった。すなわち、収納部は、使用者が手を離すと自重によって回動し、収納位置に戻ってしまう構成であった。このため、従来の構成では、使用者が収納部に対して裁縫針を出し入れする度に収納部を回動させる必要があり使用者に不便をかけていた。特に、裁縫中にぬい針を代えたい時やまち針を必要とする時には、片方の手に裁縫の対象物を持った状態で他方の手で収納部を回動させ、かつ裁縫針の出し入れを行うか、又は裁縫の対象物をおいて両手を空けなければならず、非常に不便であった。
【０００４】
本考案は、上記の課題に鑑みてなされてものであり、裁縫針を出し入れする際の利便性を向上させることができる裁縫箱を提供することを目的としている。
【課題を解決するための手段】
【０００５】
上記課題を解決するために、請求項１に記載の考案は、底板の周縁に立設された側壁によって開口部を形成した箱体と、当該開口部を開閉する蓋体と、裁縫針を収納する針収納部とを備え、前記針収納部を当該針収納部に形成された回動部と前記箱体または前記蓋体のいずれか一方に形成された支持部との軸支によって回動自在に設けた裁縫箱において、前記針収納部は、当該針収納部が収容される収容位置と、当該収容位置からの回動量が最大となる最大回動位置との間で回動自在とされ、前記針収納部の姿勢を前記収容位置と前記最大回動位置との間の任意の位置で保持する保持手段を設けたことを要旨とする。
【０００６】
請求項２に記載の考案は、底板の周縁に立設された本体側側壁によって開口部を形成した箱体と、天板の周縁に立設された蓋側側壁によって開口部を形成し、前記箱体に回動自在に設けられた蓋体と、裁縫針を収納する針収納部とを備え、前記針収納部を当該針収納部に形成された回動部と前記箱体または前記蓋体のいずれか一方に形成された支持部との軸支によって回動自在に設けた裁縫箱において、前記針収納部は、当該針収納部が収容される収容位置と当該収容位置からの回動量が最大となる最大回動位置との間で回動自在とされ、前記針収納部の姿勢を前記収容位置と前記最大回動位置との間であって、かつ前記蓋側側壁で囲まれる空間内から脱した位置で保持する保持手段を設けたことを要旨とする。
【０００７】
請求項３に記載の考案は、請求項１または２に記載の裁縫箱において、前記針収納部の保持される位置は、前記針収納部が前傾姿勢または後傾姿勢で保持される位置であることを要旨とする。
【０００８】
請求項４に記載の考案は、請求項１〜３のいずれか１項に記載の裁縫箱において、前記保持手段は、前記回動部および前記支持部のうちいずれか一方に設けられた凸部と他方に設けられた凹部とからなり、前記凸部と前記凹部との係合によって前記針収納部の姿勢を保持することを要旨とする。
【０００９】
請求項５に記載の考案は、請求項１〜４のいずれか１項に記載の裁縫箱において、前記蓋体は前記箱体に回動可能に設けられており、前記針収納部は、前記蓋体に収容されるとともに、前記蓋体に形成された係止手段に係止されることによって前記収容位置に収容され、前記針収納部は、前記収容位置に収容された状態において前記蓋体と連動して回動し、前記保持手段は、前記針収納部が前記収容位置に収容された状態において前記針収納部とともに前記蓋体を任意の位置で保持する手段を兼用することを要旨とする。
【００１０】
請求項６に記載の考案は、請求項１〜５のいずれか１項に記載の裁縫箱において、前記針収納部は、複数の針収納部材からなり、前記複数の針収納部材は、各々が独立して回動可能に設けられていることを要旨とする。
【００１１】
請求項７に記載の考案は、請求項６に記載の裁縫箱において、前記複数の針収納部材は、ぬい針用の収納部が形成されたぬい針収納部材とまち針用の収納部が形成されたまち針収納部材とに分別されていることを要旨とする。
【００１２】
請求項８に記載の考案は、請求項１〜７のいずれか１項に記載の裁縫箱において、前記針収納部には、前記裁縫針を収納する収納溝が形成されており、前記箱体または前記蓋体には、前記収納溝に前記裁縫針を収納するための収納口と対向する位置に前記収納溝からの前記裁縫針の脱落を規制する規制壁が立設されていることを要旨とする。
【考案の効果】
【００１３】
本考案によれば、裁縫針を出し入れする際の利便性を向上させることができる。
【考案を実施するための最良の形態】
【００１４】
以下、本考案を具体化した裁縫箱の一実施形態を図１〜図６にしたがって説明する。なお、以下に説明において、「上」「下」「左」「右」「前」「後」は、各図に示す矢印Ｚ１の方向を上下方向とし、矢印Ｚ２の方向を左右方向とし、矢印Ｚ３の方向を前後方向とする。
【００１５】
図１に示すように、本実施形態の裁縫箱１は、上部が開口された箱体としての箱本体１０を備え、当該箱本体１０には、蓋体としての蓋１１と、ぬい針を収納するぬい針収納部材（針収納部材）としてのぬい針プレート１２と、まち針を収納するまち針収納部材（針収納部材）としてのまち針プレート１３とが回動自在に装着されている。本実施形態では、ぬい針プレート１２とまち針プレート１３により、裁縫針（ぬい針とまち針）を収納する針収納部１４が構成されている。
【００１６】
以下、箱本体１０と、蓋１１と、針収納部１４（ぬい針プレート１２及びまち針プレート１３）の構成を詳しく説明する。
箱本体１０は、合成樹脂材により略直方体状に一体形成されており、平面視長方形をなす底板としての箱底板１５の周縁に本体前側壁１６ａと、本体後側壁１６ｂと、本体左側壁１６ｃと、本体右側壁１６ｄとを垂直に立設した構成となっている。これらの４つの各側壁１６ａ〜１６ｄが本体側側壁となる。そして、各側壁１６ａ〜１６ｄによって箱本体１０には、各側壁１６ａ〜１６ｄで囲まれる収納空間１７が形成されるとともに、当該収納空間１７への収納物（本実施形態では針山などの裁縫道具）の出し入れ口となる開口部１８が形成されている。また、本体前側壁１６ａの左右方向中央先端には、箱側係合部１９が形成されている。
【００１７】
本体後側壁１６ｂの左右両端寄りには、左右一対の蓋支持部２０が形成されている。なお、図１において左右の蓋支持部２０は同一構成であり、図２には右側の蓋支持部２０を拡大図示している。図２に示すように、蓋支持部２０には、左右一対の支持片２１ａ，２１ｂが箱底板１５から垂直に立設されている。そして、左右一対の支持片２１ａ，２１ｂの間には、蓋回動軸２２が一体形成されている。蓋回動軸２２は、左右方向に、かつ水平となるように延設されている。
【００１８】
また、本体後側壁１６ｂの左右方向中央寄りには、左右一対の支持部としてのプレート支持部２３が蓋支持部２０に並設されている。なお、図１において左右のプレート支持部２３は同一構成であり、図２には右側のプレート支持部２３を拡大図示している。図２に示すように、プレート支持部２３には、左右一対の支持片２４ａ，２４ｂが箱底板１５から垂直に立設されている。そして、各支持片２４ａ，２４ｂには、両支持片２４ａ，２４ｂ間に突出するように径方向断面が円形をなす回動支点凸部２５ａ，２５ｂが一体形成されている。両回動支点凸部２５ａ，２５ｂは、対向配置されている。また、各支持片２４ａ，２４ｂには、当該両支持片２４ａ，２４ｂ間に突出するように径方向断面が円形をなす凸部としての保持凸部２６ａ，２６ｂが一体形成されている。両保持凸部２６ａ，２６ｂは、対向配置されている。両保持凸部２６ａ，２６ｂは、回動支点凸部２５ａ，２５ｂに比して小径とされ、当該回動支点凸部２５ａ，２５ｂに隣接し、かつ回動支点凸部２５ａ，２５ｂよりも後方に設けられている。そして、保持凸部２６ａ，２６ｂは、その中心軸線が回動支点凸部２５ａ，２５ｂの中心軸線と水平方向（前後方向）において平行となるように設けられている。
【００１９】
次に、蓋１１について説明する。
蓋１１は、図１に示すように、合成樹脂材により略直方体状に一体形成されており、平面視長方形をなす天板としての蓋天板３０の周縁に蓋前側壁３１ａと、蓋後側壁３１ｂと、蓋左側壁３１ｃと、蓋右側壁３１ｄとを垂直に立設した構成となっている。これらの４つの各側壁３１ａ〜３１ｄが蓋側側壁となる。そして、各側壁３１ａ〜３１ｄによって蓋１１には、各側壁３１ａ〜３１ｄで囲まれる収納空間３２が形成されるとともに、当該収納空間３２への収納物（本実施形態では針収納部１４）の出し入れ口となる開口部３３が形成されている。蓋天板３０の蓋後側壁３１ｂ寄りには、針収納部１４（ぬい針プレート１２とまち針プレート１３）の収容時に当該針収納部１４が配置される収容凹部３４が形成されている。この収容凹部３４によって蓋天板３０は、収容凹部３４の底をなす蓋天板面３０ａと収容凹部３４の底以外の蓋天板面３０ｂとにより段差状に形成されている。そして、蓋天板面３０ａと蓋天板面３０ｂとの境界部位には、規制壁としての壁面３０ｃが垂直に立設されている。なお、収容凹部３４は、針収納部１４（ぬい針プレート１２とまち針プレート１３）全体を収容可能な大きさで形成され、各プレート１２，１３の厚みよりも深く形成されている。また、収容凹部３４の蓋天板面３０ａには、平面視四角形状をなす柱状突起３５が立設されている。柱状突起３５は、中央が上下方向全長に亘って中抜きされて空洞になっており、蓋後側壁３１ｂ寄りであって、蓋天板３０の左右方向中央に配置されている。
【００２０】
蓋前側壁３１ａの左右方向中央先端には、箱本体１０に形成された前記箱側係合部１９に係合される蓋側係合部３６が形成されている。また、蓋後側壁３１ｂの左右両端寄りには、左右一対の蓋回動部３７が形成されている。なお、左右の蓋回動部３７は同一構成であり、図２には右側の蓋回動部３７を拡大図示している。図２に示すように、蓋回動部３７は、鉤手状に形成されており、箱本体１０に形成された前記蓋支持部２０の蓋回動軸２２に係合されるようになっている。また、蓋左側壁３１ｃと蓋右側壁３１ｄの各前後方向中央先端には、左右一対の係止手段としての係合凹部３８ａ，３８ｂが形成されており、当該係合凹部３８ａ，３８ｂは前後方向に延設されている。また、蓋左側壁３１ｃと蓋右側壁３１ｄの各内側面には、左右一対の係止手段としての係止突起３９ａ，３９ｂが収納空間３２に向かって突出するように形成されている。係止突起３９ａ，３９ｂは、蓋後側壁３１ｂ寄りに配置されている。
【００２１】
次に、針収納部１４を構成するぬい針プレート１２とまち針プレート１３について説明する。
ぬい針プレート１２とまち針プレート１３は、合成樹脂材により平面視略長方形の平板状に形成されている。ぬい針プレート１２は、ミシン針、刺繍針、長針などの各種の裁縫針としてのぬい針Ｎａを収納するものであり、まち針プレート１３は、裁縫針としてのまち針Ｎｂを収納するものである。なお、ぬい針Ｎａとまち針Ｎｂは、図４のみに図示している。
【００２２】
ぬい針プレート１２には、ぬい針Ｎａを収納するためのぬい針用の収納部としてのぬい針収納溝４０が複数本（本実施形態では９本）形成されている。各ぬい針収納溝４０は、ぬい針プレート１２の縦方向（前後方向）に延設されており、複数本のぬい針収納溝４０がぬい針プレート１２の横方向（左右方向）に沿って平行に並設されている。そして、各ぬい針収納溝４０は、収納可能なぬい針Ｎａの種類毎に、溝長さが異なるように形成されている。また、各ぬい針収納溝４０は、ぬい針プレート１２の上面１２ａ側に開口し、かつ一方の溝端がぬい針プレート１２の先端部で開口するように形成されている。各ぬい針収納溝４０は、ぬい針プレート１２の先端部で開口する部位がぬい針Ｎａをぬい針収納溝４０に対して出し入れ（抜き差し）する際の収納口４１とされている。
【００２３】
また、ぬい針プレート１２の上面１２ａには、各ぬい針収納溝４０におけるぬい針プレート１２の上面１２ａへの開口部位を閉塞する閉塞板４２が一体形成されている。この閉塞板４２により、各ぬい針収納溝４０に収納されたぬい針Ｎａがぬい針プレート１２の上面１２ａ側から脱落することを規制している。また、ぬい針プレート１２の上面１２ａには、各ぬい針収納溝４０の他方の溝端に各ぬい収納溝４０に対するぬい針Ｎａの差込量を規制するストッパ４３が一体形成されている。このストッパ４３により、各ぬい針収納溝４０に収納されたぬい針Ｎａは、収納口４１から所定の突出量だけ突出して収納される（図４参照）。所定の突出量は、ぬい針収納溝４０に収納されたぬい針Ｎａを使用者が抜く際に、当該ぬい針Ｎａを指先でつまめる程度の量に設定されている。
【００２４】
一方、まち針プレート１３には、まち針Ｎｂを収納するためのまち針用の収納部としてのまち針収納溝４４が複数本（本実施形態では１０本）形成されている、各まち針収納溝４４は、まち針プレート１３の縦方向（前後方向）に延設されており、複数のまち針収納溝４４がまち針プレート１３の横方向（左右方向）に沿って平行に並設されている。そして、各まち針収納溝４４は、同一の溝長さで形成されている。また、各まち針収納溝４４は、まち針プレート１３の上面１３ａ側に開口し、かつ一方の溝端がまち針プレート１３の先端部で開口するように形成されている。各まち針収納溝４４は、まち針プレート１３の先端部で開口する部位がまち針Ｎｂを収納する際の収納口４５とされている。
【００２５】
また、まち針プレート１３の上面１３ａには、各まち針収納溝４４におけるまち針プレート１３の上面１３ａへの開口部位を閉塞する閉塞板４６が一体形成されている。この閉塞板４６により、各まち針収納溝４４に収納されたまち針Ｎｂがまち針プレート１３の上面１３ａ側から脱落することを規制している。また、まち針プレート１３の上面１３ａには、各まち針収納溝４４の他方の溝端に各まち針収納溝４４に対するまち針Ｎｂの差込量を規制するストッパ４７が一体形成されている。このストッパ４７により、各まち針収納溝４４に収納されたまち針Ｎｂは、収納口４５から所定の量だけ突出して収納される（図４参照）。所定の突出量は、まち針収納溝４４に収納されたまち針Ｎｂを使用者が抜く際に、当該まち針Ｎｂを指先でつまめる程度の量に設定されている。
【００２６】
ぬい針プレート１２の左側端部及びまち針プレート１３の右側端部には、突出係合部４８，４９がそれぞれ形成されている。突出係合部４８，４９は、各プレート１２，１３の上面１２ａ，１３ａから垂直に立設された立設片４８ａ，４９ａと当該立設片４８ａ，４９ａの先端から各プレート１２，１３の外方に向かって水平に突出する突出片４８ｂ，４９ｂから構成されている。突出片４８ｂ，４９ｂは、蓋１１の係合凹部３８ａ，３８ｂに係合し得る大きさで形成されている。また、ぬい針プレート１２の左側端部及びまち針プレート１３の右側端部には、各プレート１２，１３の外方に向かって水平に突出する側壁側係止片５０ａ，５０ｂが形成されている。側壁側係止片５０ａ，５０ｂは、蓋１１の係止突起３９ａ，３９ｂに係止し得る大きさで形成されている。
【００２７】
ぬい針プレート１２の右側端部及びまち針プレート１３の左側端部には、平面視楕円形をなす操作手段としてのつまみ操作片５１ａ，５１ｂが各プレート１２，１３の上面１２ａ，１３ａから上方に向かって突設されている。つまみ操作片５１ａ，５１ｂは、使用者が指先で摘んで操作し得る大きさで形成されている。また、ぬい針プレート１２の右側端部及びまち針プレート１３の左側端部には、各プレート１２，１３の外方に向かって水平に突出する中央側係止片５２ａ，５２ｂが形成されている。中央側係止片５２ａ，５２ｂは、蓋１１の柱状突起３５と当接し得る大きさで形成されている。また、ぬい針プレート１２及びまち針プレート１３には、回動部としてのプレート回動部５３，５４が形成されている。
【００２８】
以下、ぬい針プレート１２とまち針プレート１３に形成されたプレート回動部５３，５４の構成を図２及び図３を用いて詳しく説明する。ぬい針プレート１２のプレート回動部５３とまち針プレート１３のプレート回動部５４は同一構成であり、以下の説明ではまち針プレート１３のプレート回動部５４についてのみ説明する。
【００２９】
プレート回動部５４は、左右一対の軸受片５５ａ，５５ｂを備え、当該軸受片５５ａ，５５ｂの先端部は側面視円形をなすように形成されている。そして、各軸受片５５ａ，５５ｂには、側面視円形をなす軸孔５７ａ，５７ｂが各軸受片５５ａ，５５ｂを左右方向に貫通して形成されている。軸孔５７ａ，５７ｂは、プレート支持部２３の各支持片２４ａ，２４ｂに形成された回動支点凸部２５ａ，２５ｂを嵌挿し得る直径で形成されている。また、各軸受片５５ａ，５５ｂには、各軸孔５７ａ，５７ｂの周縁に沿って側面視円形をなす複数（本実施形態では３つ）の保持凹部５８ａ，５８ｂ，５８ｃが形成されている。各保持凹部５８ａ〜５８ｃは、同一直径の円形溝とされており、プレート支持部２３の各支持片２４ａ，２４ｂに形成された保持凸部２６ａ，２６ｂを嵌挿し得る直径で形成されている。そして、各保持凹部５８ａ〜５８ｃは、軸孔５７ａ，５７ｂの中心軸線を中心とする仮想円上に、当該仮想円の周方向に沿って所定の間隔（本実施形態では４５度間隔）を空けて形成されている。
【００３０】
ここで、各軸孔５７ａ，５７ｂと各保持凹部５８ａ〜５８ｃとの配置関係をさらに詳しく説明する。以下の説明は、図３に示すように、まち針プレート１３が垂直に起立した姿勢を前提とし、各軸孔５７ａ，５７ｂと各保持凹部５８ａ〜５８ｃとの配置関係を説明している。なお、ぬい針プレート１２においても、各軸孔５７ａ，５７ｂと保持凹部５８ａ〜５８ｃとの配置関係は以下に説明するとおりである。
【００３１】
各軸孔５７ａ，５７ｂと保持凹部５８ａは、各軸孔５７ａ，５７ｂの中心軸線と保持凹部５８ａの中心軸線とが垂直方向（上下方向）において平行となる配置関係を有している。また、各軸孔５７ａ，５７ｂと保持凹部５８ｃは、各軸孔５７ａ，５７ｂの中心軸線と保持凹部５８ｃの中心軸線とが水平方向（前後方向）において平行となる配置関係を有している。このため、保持凹部５８ａと保持凹部５８ｃは、軸孔５７ａ，５７ｂの中心軸線を基準として９０度の間隔を空けて配置されている。そして、本実施形態において保持凹部５８ｂは、当該保持凹部５８ｂと保持凹部５８ａとの間、及び保持凹部５８ｂと保持凹部５８ｃとの間が等間隔をなすように形成されている。したがって、各軸孔５７ａ，５７ｂと保持凹部５８ａは、各軸孔５７ａ，５７ｂの中心軸線と保持凹部５８ｂの中心軸線とが垂直方向又は水平方向の何れを基準とした場合であっても、これらの方向から４５度傾いた方向において平行となる関係を有している。そして、保持凹部５８ｂは、軸孔５７ａ，５７ｂの中心軸線を基準として保持凹部５８ａ又は保持凹部５８ｃから４５度の間隔を空けて配置されている。
【００３２】
このような構成において本実施形態のぬい針プレート１２とまち針プレート１３は、保持凹部５８ｃと保持凸部２６ａ，２６ｂが係合されることにより垂直方向に立った姿勢（以下、起立姿勢ともいう）とされる。また、各プレート１２，１３は、保持凹部５８ａと保持凸部２６ａ，２６ｂが係合されることにより水平方向に寝た姿勢とされる。また、各プレート１２，１３は、保持凹部５８ｂと保持凸部２６ａ，２６ｂが係合されることにより垂直方向と水平方向との間において後方に傾いた姿勢（以下、後傾姿勢ともいう）とされる。
【００３３】
そして、本実施形態の裁縫箱１は、前述した箱本体１０と、蓋１１と、針収納部１４（ぬい針プレート１２とまち針プレート１３）とが以下に説明するように組み付けられることによって構成される。
【００３４】
蓋１１は、箱本体１０に形成された開口部１８を開閉する部材であり、箱本体１０に対して回動自在に装着される。具体的に言えば、蓋１１は、蓋回動部３７を箱本体１０の蓋回動軸２２に係合することにより箱本体１０に装着される。これにより、蓋１１は、蓋回動部３７と蓋回動軸２２により軸支され、箱本体１０に対して回動自在とされる。蓋１１は、図１において前方側に回動させることにより箱本体１０の開口部１８を閉鎖し、この状態において箱本体１０の収納空間１７は蓋１１によって閉じられることになる。なお、箱本体１０の開口部１８を蓋１１で閉鎖した場合には、箱本体１０の箱側係合部１９に対して蓋１１の蓋側係合部３６が係合され、裁縫箱１はロック状態となる。そして、裁縫箱１は、箱本体１０の開口部１８を蓋１１で閉鎖した状態から当該蓋１１を図１において後方側に回動させると、箱本体１０の開口部１８が開放されて、収納空間１７への収容物（裁縫道具）の出し入れが可能な状態となる。
【００３５】
ぬい針プレート１２とまち針プレート１３は、箱本体１０に対して回動自在に装着される。本実施形態では、ぬい針プレート１２が左側に装着され、まち針プレート１３が右側に装着され、各プレート１２，１３は各々が独立して回動可能に装着される。具体的に言えば、各プレート１２，１３は、プレート回動部５３，５４の軸孔５７ａ，５７ｂと箱本体１０のプレート支持部２３に形成された回動支点凸部２５ａ，２５ｂを係合することにより箱本体１０に装着される。これにより、各プレート１２，１３は、プレート回動部５３，５４とプレート支持部２３により軸支され、箱本体１０に対して回動自在とされる。
【００３６】
各プレート１２，１３は、蓋１１の収容凹部３４に収容された状態（図１に示す状態）から図１において前方側に回動させることにより箱本体１０の開口部１８側まで回動可能となっている。そして、各プレート１２，１３は、蓋１１の収容凹部３４に収容された状態において、突出係合部４８，４９が蓋１１の係合凹部３８ａ，３８ｂに係止されるとともに、側壁側係止片５０ａ，５０ｂが蓋１１の係止突起３９ａ，３９ｂに係止される。このとき、ぬい針プレート１２は、柱状突起３５に中央側係止片５２ａが当接することにより蓋左側壁３１ｃ側に向けて押さえ付けられ、まち針プレート１３は、柱状突起３５に中央側係止片５２ｂが当接することにより蓋右側壁３１ｄ側に向けて押さえ付けられる。この状態において、各プレート１２，１３は、蓋１１の収容凹部３４に収容され、その収容状態が保持される。すなわち、各プレート１２，１３は、使用者がつまみ操作片５１ａ，５１ｂを摘んで回動操作させるための力を加えない限り、収容凹部３４内に収容された状態が維持される。収容凹部３４内に収容された各プレート１２，１３は、箱本体１０に対して蓋１１を閉めた状態においても収容凹部３４内で保持され、収容凹部３４に収容された時の位置が収容位置となる。
【００３７】
また、各プレート１２，１３は、収容凹部３４に収容された状態において、各収納口４１，４５が蓋１１の壁面３０ｃに対向する。このため、各プレート１２，１３に収納されたぬい針Ｎａ及びまち針Ｎｂは、各プレート１２，１３の収容時において収納口４１，４５から脱落する方向に移動しても、図４に示すぬい針プレート１２に収納された左から２つ目のぬい針Ｎａのように針端部が壁面３０ｃに当接することになる。したがって、各プレート１２，１３が収容凹部３４に収容された状態において、各プレート１２，１３に収納されたぬい針Ｎａ及びまち針Ｎｂは、蓋１１の壁面３０ｃによって脱落が規制され、当該壁面３０ｃが規制壁としての役割を担う。
【００３８】
一方、各プレート１２，１３は、収容位置から箱本体１０の開口部１８側に向かって回動させた場合、当該開口部１８の上方域において各プレート１２，１３の突出係合部４８，４９が箱本体１０の本体左側壁１６ｃ及び本体右側壁１６ｄに当接し、回動が規制される。なお、ぬい針プレート１２の突出係合部４８は箱本体１０の本体左側壁１６ｃに当接し、まち針プレート１３の突出係合部４９は箱本体１０の本体右側壁１６ｄに当接する。したがって、本実施形態において各プレート１２，１３は、収容位置から回動が規制されることになる位置（突出係合部４８，４９が本体左側壁１６ｃ又は本体右側壁１６ｄに当接する位置）までの間で回動が許容されており、回動が規制されることになる位置が最大回動位置となる。
【００３９】
以下、本実施形態の裁縫箱１の作用を図５及び図６にしたがって説明する。
図５は、蓋１１を開放した状態において箱本体１０に装着されるまち針プレート１３の動作状態を模式的に示している。なお、ぬい針プレート１２の動作状態はまち針プレート１３の動作状態と同一であるため、以下の説明ではまち針プレート１３の動作状態のみを説明する。
【００４０】
蓋１１を全開放した際、まち針プレート１３は、蓋１１の収容凹部３４内に収容されている（図５に示す位置Ｐ１）。位置Ｐ１において箱本体１０に形成された保持凸部２６ａ，２６ｂは、まち針プレート１３の保持凹部５８ａに係合されている。この状態で使用者がまち針プレート１３のつまみ操作片５１ｂを指先で摘み、蓋１１とまち針プレート１３との係止を解除して当該まち針プレート１３を前方に回動させると、当該まち針プレート１３は、蓋１１の収納空間３２から脱して前方に回動する。そして、まち針プレート１３は、位置Ｐ１から所定の角度だけ前方に回動し、位置Ｐ２に達すると、保持凸部２６ａ，２６ｂが保持凹部５８ｂに係合することにより、当該位置Ｐ２にて姿勢が保持される。すなわち、まち針プレート１３は、位置Ｐ２において位置Ｐ１から４５度前方に回動した状態、かつ後傾姿勢で保持される。このとき、まち針プレート１３は、保持凸部２６ａ，２６ｂと保持凹部５８ｂとが係合することにより、手を離しても自重で後方に回動することなく、後傾姿勢で保持される。
【００４１】
そして、まち針収納溝４４に収納されたまち針Ｎｂは、当該まち針プレート１３とともに後傾姿勢とされており、まち針収納溝４４の収納口４５は、斜め後方を向いた状態となっている。したがって、位置Ｐ２にて後傾姿勢で保持されたまち針プレート１３からは、その姿勢が保持された状態でまち針Ｎｂを斜め後方へ引き抜くことが可能であり、かつ斜め後方から差し込むことが可能となる。
【００４２】
また、まち針プレート１３は、位置Ｐ２からさらに所定の角度だけ前方に回動し、位置Ｐ３に達すると、保持凸部２６ａ，２６ｂが保持凹部５８ｃに係合することにより、当該位置Ｐ３にて姿勢が保持される。すなわち、まち針プレート１３は、位置Ｐ３において位置Ｐ１から９０度前方に回動した状態、かつ起立姿勢で保持される。このとき、まち針プレート１３は、保持凸部２６ａ，２６ｂと保持凹部５８ｃとが係合することにより、手を離しても自重で後方に回動することなく、起立姿勢で保持される。
【００４３】
そして、まち針収納溝４４に収納されたまち針Ｎｂは、当該まち針プレート１３とともに起立姿勢とされており、まち針収納溝４４の収納口４５は、上方を向いた状態となっている。したがって、位置Ｐ３にて起立姿勢で保持されたまち針プレート１３からは、その姿勢が保持された状態でまち針Ｎｂを上方へ引き抜くことが可能であり、かつ上方から差し込むことが可能となる。また、まち針プレート１３は、位置Ｐ３からさらに前方に回動させると、最大回動位置となる位置Ｐ４に達し、回動が規制される。本実施形態では、プレート支持部２３に形成された保持凸部２６ａ，２６ｂとプレート回動部５３，５４に形成された保持凹部５８ａ〜５８ｃにより、保持手段が構成される。
【００４４】
図６は、蓋１１の収容凹部３４にぬい針プレート１２とまち針プレート１３を収容した状態における蓋１１の動作状態を模式的に示している。なお、図６には、収容凹部３４に収容されたまち針プレート１３のみを図示している。
【００４５】
本実施形態において各プレート１２，１３は、収容凹部３４に収容されると、蓋１１に係止された状態となる。このため、各プレート１２，１３は、収容凹部３４に収容された状態において蓋１１と連動して回動することとなる。そして、各プレート１２，１３は、蓋１１の位置が全開放したときに位置Ｐ１に配置されている。このため、各プレート１２，１３は、蓋１１が前方に回動されることにより、当該蓋１１に連動して前方に回動する。そして、蓋１１は、当該蓋１１と各プレート１２，１３が位置Ｐ２に達すると、各プレート１２，１３の保持凸部２６ａ，２６ｂが保持凹部５８ｂに係合することにより位置Ｐ２で保持される。すなわち、蓋１１と各プレート１２，１３は、位置Ｐ１から４５度前方に回動した状態で、かつ後傾姿勢で保持される。
【００４６】
また、蓋１１は、位置Ｐ２からさらに所定の角度だけ前方に回動し、当該蓋１１と各プレート１２，１３が位置Ｐ３に達すると、各プレート１２，１３の保持凸部２６ａ，２６ｂが保持凹部５８ｃに係合することにより位置Ｐ３で保持される。すなわち、蓋１１と各プレート１２，１３は、位置Ｐ１から９０度前方に回動した状態で、かつ起立姿勢で保持される。そして、蓋１１は、位置Ｐ３からさらに前方に回動させると、各プレート１２，１３の最大回動位置となる位置Ｐ４に達し、当該位置Ｐ４にて箱本体１０の開口部１８を閉塞する。本実施形態では、保持凸部２６ａ，２６ｂと保持凹部５８ａ〜５８ｃとからなる保持手段が、各プレート１２，１３が蓋１１に収容された状態において当該蓋１１の姿勢（後傾姿勢、起立姿勢）を保持する手段を兼用する。
【００４７】
以上に説明した本実施形態の構成によれば、以下に記載の効果を得ることができる。
（１）針収納部１４の姿勢を収容位置と最大回動位置との間で保持する手段（実施形態では保持凸部２６ａ，２６ｂと保持凹部５８ａ〜５８ｃ）を設けた。このため、使用者は、収容位置と最大回動位置との間で針収納部１４の姿勢が保持されることにより、裁縫針（ぬい針Ｎａとまち針Ｎｂ）を針収納部１４に対して出し入れする度に針収納部１４を回動させる必要がなくなる。したがって、裁縫針（ぬい針Ｎａとまち針Ｎｂ）を出し入れする際の利便性を向上させることができる
（２）針収納部１４を、収納位置と最大回動位置との間において後傾姿勢となる位置（角度）で保持する。このため、針収納部１４を起立姿勢まで回動させることなく、その途中で姿勢を保持させることができ、裁縫針（ぬい針Ｎａとまち針Ｎｂ）の出し入れ作業の手間を簡素化できる。また、針収納部１４を蓋１１の収納空間３２から脱した位置で姿勢を保持させるため、裁縫針の出し入れの際に蓋１１の蓋前側壁３１ａが邪魔になることなく、裁縫針の出し入れをスムーズに行うことができる。
【００４８】
（３）針収納部１４の姿勢を保持する手段を保持凸部２６ａ，２６ｂと保持凹部５８ａ〜５８ｃとにより構成し、保持凸部２６ａ，２６ｂと保持凹部５８ａ〜５８ｃとの係合によって針収納部１４の姿勢を保持させるようにした。このため、針収納部１４の姿勢を保持する手段の構成を簡素化することができる。また、保持凸部２６ａ，２６ｂをプレート支持部２３に設ける一方で、保持凹部５８ａ〜５８ｃをプレート回動部５３，５４に設けた。このため、針収納部１４の姿勢を保持させる場合、又は保持状態を解除させる場合には、針収納部１４に回動力を加えるだけで良く、操作性を向上させることができる。また、針収納部１４の姿勢を容易に変更することができる。
【００４９】
（４）針収納部１４を蓋１１に収容した状態において、当該針収納部１４と蓋１１を連動して回動可能とし、針収納部１４の姿勢を保持する手段によって蓋１１の位置も保持するようにした。すなわち、蓋１１は、当該蓋１１に針収納部１４が収容された状態において後傾姿勢及び起立姿勢で保持されるようにした。このため、蓋１１の開放量を調整することができる。したがって、蓋１１の開放量を調整するに際しては、新たな構成を設けることなく、針収納部１４の姿勢を保持する手段と兼用することができ、裁縫箱１の構成の複雑化を防止できる。また、載置スペースを狭くしても裁縫箱１を開放させておけるので、裁縫箱１から裁縫道具を取り出す度に蓋１１の開閉を繰り返す必要がなく、作業性を向上させることができる。
【００５０】
（５）また、本実施形態の裁縫箱１を教材用とした場合には、裁縫箱１を狭い机の上に置かなければならない。このため、裁縫箱１は、蓋１１を全開放しておくと当該蓋１１が机からはみ出し、机間の通路を歩く教員や他の生徒が蓋１１を引っ掛けてしまい、床に落とされてしまう虞がある。したがって、蓋１１の開放量を調整することで、机からはみ出すことなく置くことができ、床への落下による裁縫箱１の破損や裁縫道具の散乱を抑制できる。
【００５１】
（６）針収納部１４を複数の針収納部材（本実施形態では、ぬい針プレート１２とまち針プレート１３）から構成し、各針収納部材を独立して回動可能に構成した。このため、裁縫箱１を使用する際に、必要な裁縫針（ぬい針Ｎａとまち針Ｎｂ）が収納された針収納部材だけを回動させ、かつ姿勢を保持させれば良く、操作性を向上させることができる。
【００５２】
（７）複数の針収納部材をぬい針プレート１２とまち針プレート１３で構成し、針の種類毎に分別した。このため、使用者が何れの針収納部材に自らが必要とする裁縫針が収納されているかを簡単に認識することができる。したがって、作業性を向上させることができる。
【００５３】
（８）ぬい針プレート１２とまち針プレート１３につまみ操作片５１ａ，５１ｂを設けた。このため、各プレート１２，１３を回動させる際には、つまみ操作片５１ａ、５１ｂを掴んで操作すればよいため、回動操作がし易く、操作性を向上させることができる。
【００５４】
（９）ぬい針プレート１２の収納口４１及びまち針プレート１３の収納口４５の対向位置に壁面３０ｃを配置した。このため、各プレート１２，１３が収容位置に収容された場合には、各プレート１２，１３に収納された裁縫針（ぬい針Ｎａとまち針Ｎｂ）が脱落する方向に移動しても、当該裁縫針は壁面３０ｃに当接することになる。したがって、各プレート１２，１３からの裁縫針の脱落が規制され、裁縫箱１内での裁縫針の散乱を防止できる。また、蓋１１に壁面３０ｃを形成することにより裁縫針の脱落に規制を掛ける構成としたため、裁縫針を収納する際に使用者に何らかの作業を要求する必要がなく、作業性を向上させることができる。
【００５５】
なお、本実施形態は以下のように変更してもよい。
・  箱本体１０の開口部１８に対する蓋１１の開閉方向を上下方向として当該蓋１１を箱本体１０に対して着脱可能な構成とした上で、針収納部１４を箱本体１０又は蓋１１に対して回動自在に装着してもよい。また、蓋１１を、箱本体１０に対してスライド移動可能な構成とし、針収納部１４を箱本体１０又は蓋１１に対して回動自在に装着してもよい。
【００５６】
・  各プレート１２，１３を蓋１１に回動自在に設けてもよい。
・  各プレート１２，１３を前傾姿勢で保持するようにしても良い。
・  各プレート１２，１３に保持凸部２６ａ，２６ｂを設ける一方で、箱本体１０に保持凹部５８ａ〜５８ｃを設け、凹凸の関係を逆転させてもよい。
【００５７】
・  各プレート１２，１３の収容位置を箱本体１０側に設けても良い。
・  蓋１１の位置を保持する手段を、針収納部１４の保持手段とは別に設けてもよい。
・  保持凹部は１つ、２つ又は４つ以上形成されていてもよい。
【００５８】
・  箱本体１０を平面視正方形又は円形の箱底板１５の周縁に側壁を立設して箱状に形成しても良いし、蓋１１を箱本体１０の開口部１８の平面視形状と対応させ、平面視正方形又は円形に形成しても良い。
【００５９】
・  針収納部１４は１つの針収納部材で構成してもよいし、各々が独立して回動可能な３つ以上の針収納部材で構成してもよい。
・  裁縫針の脱落を規制する壁面３０ｃを箱本体１０側に設けても良い。
【００６０】
・  保持凸部２６ａ，２６ｂと保持凹部５８ａ〜５８ｃを省略し、回動支点凸部２５ａ，２５ｂの断面を四角形状に形成する一方で、軸孔５７ａ，５７ｂの孔形状を四角形状に形成し、これらの回動支点凸部２５ａ，２５ｂと軸孔５７ａ，５７ｂによって保持手段を構成しても良い。この場合、蓋１１の回動に伴い軸孔５７ａ，５７ｂの内面が回動支点凸部２５ａ，２５ｂの側面に係合されることで、各プレート１２，１３の姿勢が保持される。
【図面の簡単な説明】
【００６１】
【図１】裁縫箱全体を示す斜視図。
【図２】箱本体の蓋支持部とプレート支持部、蓋１１の蓋回動部、及びまち針プレートのプレート回動部を示す斜視図。
【図３】まち針プレートと箱本体のプレート支持部を示す側面図。
【図４】蓋を示す平面図。
【図５】針収納部の動作状態を示す作動図。
【図６】針収納部と蓋の動作状態を示す作動図。
【符号の説明】
【００６２】
１…裁縫箱、１０…箱本体、１２…ぬい針プレート、１３…まち針プレート、１４…針収納部、１５…箱底板、１６ａ…本体前側壁、１６ｂ…本体後側壁、１６ｃ…本体左側壁、１６ｄ…本体右側壁、１８…開口部、２３…プレート支持部、２６ａ，２６ｂ…保持凸部、３１ａ…蓋前側壁、３１ｂ…蓋後側壁、３１ｃ…蓋左側壁、３１ｄ…蓋右側壁、３０ｃ…壁面、３５…柱状突起、３８ａ，３８ｂ…係合凹部、３９ａ，３９ｂ…係止突起、４３…ぬい針収納溝、４４…まち針収納溝、５１ａ，５１ｂ…つまみ操作片、５３，５４…プレート回動部、５８ａ〜５８ｃ…保持凹部、Ｎａ…ぬい針、Ｎｂ…まち針。
【図１】
0003117524.tif 000003
【図２】
0003117524.tif 000004
【図３】
0003117524.tif 000005
【図４】
0003117524.tif 000006
【図５】
0003117524.tif 000007
【図６】
0003117524.tif 000008